【手続補正書】
【提出日】平成29年7月6日(2017.7.6)
【手続補正１】
【補正対象書類名】明細書
【補正対象項目名】０００７
【補正方法】変更
【補正の内容】
【０００７】
上記課題を解決するために、本発明に係る情報処理装置は、情報の付与対象毎に複数の情報項目が割り当てられているとともに前記複数の情報項目のそれぞれに対応させて情報が登録されているデータベースを生成可能な、又は、前記データベースにおける前記情報を更新可能な情報処理装置であって、前記情報が登録又は更新される前記情報項目を複数纏めて指定させることが可能であって且つ互いに前記情報項目の組み合わせが異なるように前記情報項目が複数対応付けられた複数の指定ボタンを表示させる制御手段を備え、前記制御手段は、複数の前記付与対象が一括的な前記情報の登録又は更新の対象として選択された場合に、前記複数の指定ボタンのうち前記一括的な情報の登録又は更新の対象として除外される前記情報項目が対応付けられている前記指定ボタンを識別可能に表示させることを特徴とする。
また、本発明に係る他の態様の情報処理装置は、情報の付与対象毎に複数の情報項目が割り当てられているとともに前記複数の情報項目のそれぞれに対応させて情報が登録されているデータベースを生成可能な、又は、前記データベースにおける前記情報を更新可能な情報処理装置であって、前記情報が登録又は更新される前記情報項目を複数纏めて指定させることが可能であって且つ互いに前記情報項目の組み合わせが異なるように前記情報項目が複数対応付けられた複数の指定ボタンを表示させる表示制御手段と、複数の前記付与対象が一括的な前記情報の登録又は更新の対象として選択された場合に、前記複数の指定ボタンのうち前記一括的な情報の登録又は更新の対象として除外される前記情報項目が対応付けられている前記指定ボタンによる指定を禁止する禁止制御手段と、を備えたことを特徴とする。
また、本発明に係るプログラムは、コンピュータを、情報の付与対象毎に複数の情報項目が割り当てられているとともに前記複数の情報項目のそれぞれに対応させて情報が登録されているデータベースを生成可能に、又は、前記データベースにおける前記情報を更新可能に機能させるプログラムであって、コンピュータを、前記情報が登録又は更新される前記情報項目を複数纏めて指定させることが可能であって且つ互いに前記情報項目の組み合わせが異なるように前記情報項目が複数対応付けられた複数の指定ボタンを表示させる制御手段として機能させ、前記制御手段は、複数の前記付与対象が一括的な前記情報の登録又は更新の対象として選択された場合に、前記複数の指定ボタンのうち前記一括的な情報の登録又は更新の対象として除外される前記情報項目が対応付けられている前記指定ボタンを識別可能に表示させることを特徴とする。
また、本発明に係る他の態様のプログラムは、コンピュータを、情報の付与対象毎に複数の情報項目が割り当てられているとともに前記複数の情報項目のそれぞれに対応させて情報が登録されているデータベースを生成可能に、又は、前記データベースにおける前記情報を更新可能に機能させるプログラムであって、コンピュータを、前記情報が登録又は更新される前記情報項目を複数纏めて指定させることが可能であって且つ互いに前記情報項目の組み合わせが異なるように前記情報項目が複数対応付けられた複数の指定ボタンを表示させる表示制御手段、複数の前記付与対象が一括的な前記情報の登録又は更新の対象として選択された場合に、前記複数の指定ボタンのうち前記一括的な情報の登録又は更新の対象として除外される前記情報項目が対応付けられている前記指定ボタンによる指定を禁止する禁止制御手段、として機能させることを特徴とする。
【手続補正２】
【補正対象書類名】特許請求の範囲
【補正対象項目名】全文
【補正方法】変更
【補正の内容】
【特許請求の範囲】
【請求項１】
情報の付与対象毎に複数の情報項目が割り当てられているとともに前記複数の情報項目のそれぞれに対応させて情報が登録されているデータベースを生成可能な、又は、前記データベースにおける前記情報を更新可能な情報処理装置であって、
前記情報が登録又は更新される前記情報項目を複数纏めて指定させることが可能であって且つ互いに前記情報項目の組み合わせが異なるように前記情報項目が複数対応付けられた複数の指定ボタンを表示させる制御手段を備え、
前記制御手段は、複数の前記付与対象が一括的な前記情報の登録又は更新の対象として選択された場合に、前記複数の指定ボタンのうち前記一括的な情報の登録又は更新の対象として除外される前記情報項目が対応付けられている前記指定ボタンを識別可能に表示させることを特徴とする情報処理装置。
【請求項２】
情報の付与対象毎に複数の情報項目が割り当てられているとともに前記複数の情報項目のそれぞれに対応させて情報が登録されているデータベースを生成可能な、又は、前記データベースにおける前記情報を更新可能な情報処理装置であって、
前記情報が登録又は更新される前記情報項目を複数纏めて指定させることが可能であって且つ互いに前記情報項目の組み合わせが異なるように前記情報項目が複数対応付けられた複数の指定ボタンを表示させる表示制御手段と、
複数の前記付与対象が一括的な前記情報の登録又は更新の対象として選択された場合に、前記複数の指定ボタンのうち前記一括的な情報の登録又は更新の対象として除外される前記情報項目が対応付けられている前記指定ボタンによる指定を禁止する禁止制御手段と、
を備えたことを特徴とする情報処理装置。
【請求項３】
前記一括的な情報の更新の対象として選択された前記複数の付与対象間で所定の情報項目に対して互いに異なる情報が既に登録済みであった場合に警告報知する報知手段を備えたことを特徴とする請求項１又は２に記載の情報処理装置。
【請求項４】
コンピュータを、情報の付与対象毎に複数の情報項目が割り当てられているとともに前記複数の情報項目のそれぞれに対応させて情報が登録されているデータベースを生成可能に、又は、前記データベースにおける前記情報を更新可能に機能させるプログラムであって、
コンピュータを、
前記情報が登録又は更新される前記情報項目を複数纏めて指定させることが可能であって且つ互いに前記情報項目の組み合わせが異なるように前記情報項目が複数対応付けられた複数の指定ボタンを表示させる制御手段として機能させ、
前記制御手段は、複数の前記付与対象が一括的な前記情報の登録又は更新の対象として選択された場合に、前記複数の指定ボタンのうち前記一括的な情報の登録又は更新の対象として除外される前記情報項目が対応付けられている前記指定ボタンを識別可能に表示させることを特徴とするプログラム。
【請求項５】
コンピュータを、情報の付与対象毎に複数の情報項目が割り当てられているとともに前記複数の情報項目のそれぞれに対応させて情報が登録されているデータベースを生成可能に、又は、前記データベースにおける前記情報を更新可能に機能させるプログラムであって、
コンピュータを、
前記情報が登録又は更新される前記情報項目を複数纏めて指定させることが可能であって且つ互いに前記情報項目の組み合わせが異なるように前記情報項目が複数対応付けられた複数の指定ボタンを表示させる表示制御手段、
複数の前記付与対象が一括的な前記情報の登録又は更新の対象として選択された場合に、前記複数の指定ボタンのうち前記一括的な情報の登録又は更新の対象として除外される前記情報項目が対応付けられている前記指定ボタンによる指定を禁止する禁止制御手段、
として機能させることを特徴とするプログラム。